(57)【要約】      （修正有）【課題】建築現場、点検作業現場、引っ越し作業現場等で用いられる養生・保護シート、更にレジャーシートなどに好適に用いられるクッション材は言うまでもなく、工事現場等で手際良く取り付けることが出来るコーナークッションを提供する。【解決手段】横方向に長尺な耐水性表面シートカバー２と裏面シートカバー３の間に、両シートカバー２、３の縦方向寸法よりもやや短い縦方向寸法を有する短冊状の複数枚の緩衝材５が、夫々その縦方向をシートカバー２、３の縦方向に沿わせ且つ横方向に互いに所定の間隔を空けて並設され、表面シートカバー２と裏面シートカバー３はその上下左右の端部６、７、８、９並びに緩衝材５間の所定の間隔を空けた部位１０において互いに接着固定され、所定の間隔を空けた部位１０において蛇腹状に折り畳み展張自在に構成されている。【選択図】図１
0003197228.tif 000002
【実用新案登録請求の範囲】
【請求項１】
横方向に長尺な耐水性表面シートカバーと同じく耐水性の裏面シートカバーの間に、両シートカバーの縦方向寸法よりもやや短い縦方向寸法を有する短冊状の複数枚の緩衝材が、夫々その縦方向を前記シートカバーの縦方向に沿わせ且つ横方向に互いに所定の間隔を空けて並設され、前記表面シートカバーと裏面シートカバーはその上下左右の端部並びに前記緩衝材間の前記所定の間隔を空けた部位において互いに接着固定され、前記所定の間隔を空けた部位において蛇腹状に折り畳み展張自在に構成されていることを特徴とするクッション材。
【請求項２】
表面シートカバーと裏面シートカバーの下方の端部の接着固定部位に夫々の緩衝材の収納空間と連通して一つ若しくは複数個の換気路が設けられている請求項１記載のクッション材。
【請求項３】
緩衝材は独立気泡を備えた発泡樹脂素材である請求項１又は２のいずれかに記載のクッション材。
【請求項４】
請求項１〜３のいずれか１項に記載のクッション材の所定の間隔を空けた部位を縦方向に切断して短尺な横幅にして取り付け対象物へ取り付け素子を介して取り付けられるようにしたコーナークッション。
【考案の詳細な説明】
【技術分野】
【０００１】
この考案は、例えば、建築現場等で用いられる養生・保護シートやレジャーシート―などに好適に用いられるクッション材、更には工事現場等で用いられるコーナークッションに関する。
【背景技術】
【０００２】
工事現場などに用いられるコーナークッションとしては、後述特許文献に示すような各種の提案がなされている。
【０００３】
特許文献１には、斜め縞模様の警戒表示模様を施した表面シート部材と粘着剤を塗布された裏面シート部材との間に、縦方向に所定間隔を置いて複数個のクッション材を列設して挟み込んで、縦方向に長尺なコーナークッションとした構成が開示されている。
【０００４】
一方、特許文献２には、表面シート部材と裏面シート部材との間に密閉空間を形成し、裏面シート部材に取り付けられた磁石で取り付け対象物に取り付け、前記密閉空間内に発泡剤を注入して取り付け対象物の形に合うようにした構成が開示されている。
【０００５】
更に、特許文献３には、縦方向に長尺な表面カバー部材と裏面カバー部材との間に、縦方向に所定間隔を置いて複数個のクッション材を列設して挟み込んで縦方向に長尺なコーナークッションとし、両カバー部材の両側部に長尺方向に沿って間欠的に磁石を挟み込んだ構成が開示されている。
【先行技術文献】
【特許文献】
【０００６】
【特許文献１】特許第３４０９２９９号公報
【特許文献２】特開平１０−３３１２９１号公報
【特許文献３】特開２００９−１８５５２６号公報
【考案の開示】
【考案が解決しようとする課題】
【０００７】
ところで、特許文献１並びに特許文献３に示されるコーナークッションは共に縦方向に長尺、実際の寸法は概ね２１００ｍｍほどあるために、コーナークッションの上の方を取り付け対象物へ取り付ける作業が行い難い問題点がある上に、概して２１００ｍｍもの取り付け対象物が、特に建築現場等ではさほど多くなく、コーナークッションの一部が廃棄される傾向にあり、無駄が多い。また、特許文献２は作業現場において発泡剤を注入する必要があることから、迅速な取り付け作業を期待することができない。そして、いずれの提案もコーナークッション専用として開発されている。
【０００８】
本考案は、これら従来の提案を種々検討した結果、建築現場等で用いられる養生・保護シート、レジャーシート―などに好適に用いられるクッション材としては言うまでもなく、更には工事現場等で手際良く取り付けることが出来るコーナークッションを開発するに至ったので、ここに提案する。
【０００９】
従って、本考案が解決しようとする課題は、建築現場、点検作業現場、引っ越し作業現場等で用いられる養生・保護シート、更にレジャーシート―などに好適に用いられるクッション材は言うまでもなく、工事現場等で手際良く取り付けることが出来るコーナークッションを提供することである。
【課題を解決するための手段】
【００１０】
以上の技術的な課題を解決するために、この考案によるクッション材は、横方向に長尺な耐水性表面シートカバーと同じく耐水性の裏面シートカバーの間に、両シートカバーの縦方向寸法よりもやや短い縦方向寸法を有する短冊状の複数枚の緩衝材が、夫々その縦方向を前記シートカバーの縦方向に沿わせ且つ横方向に互いに所定の間隔を空けて並設され、前記表面シートカバーと裏面シートカバーはその上下左右の端部並びに前記緩衝材間の前記所定の間隔を空けた部位において互いに接着固定され、前記所定の間隔を空けた部位において蛇腹状に折り畳み展張自在に構成されたものである（請求項１）。
【００１１】
クッション材において、請求項１記載のクッション材が表面シートカバーと裏面シートカバーの下方の端部の接着固定部位に夫々の緩衝材の収納空間と連通して一つ若しくは複数個の換気路が設けられていてもよい（請求項２）。
【００１２】
また、クッション材において、請求項１記載のクッション材の緩衝材は独立気泡を備えた発泡樹脂素材でもよい（請求項３）。
【００１３】
また、上記の目的を達成すたるために本考案によるコーナークッションは、請求項１〜３のいずれか１項に記載のクッション材の所定の間隔を空けた部位を縦方向に切断して短尺な横幅にして取り付け対象物へ取り付け素子を介して取り付けられるようにした（請求項４）。
【考案の効果】
【００１４】
この考案の請求項１〜４に係る考案では、建築現場、点検作業現場、引っ越し作業現場等で用いられる養生・保護シート、更にレジャーシート―などに好適に用いられるクッション材は言うまでもなく、工事現場等で手際良く取り付けることが出来るコーナークッションが得られる。
【００１５】
即ち、請求項１〜４に係る考案のクッション材及びコーナークッションは、前記縦方向に沿う所定の間隔を空けた部位において蛇腹状に折り畳むことで、嵩低くコンパクトにして持ち運びできる。また、展張することで所定床面積を備えたシート状にして、例えば現場の床養生やレジャーシート、更には床マットとして好適に適用でき、また建築やリフォーム更には点検などの各種作業現場における部分養生などにも好適に適用される。また、このクッション材の所定の間隔を空けた部位を縦方向に切断して短尺な横幅にして取り付け対象物へ取り付け素子を介して取り付けられるようにすることで、工事現場、建築、リフォームの作業現場における安全上の防護対策として、また、その他引っ越しの際に損傷を予防する必要のある柱などへのコーナークッションとして有効に活用できる。このコーナークッションを取り付け対象物へ取り付けるための取り付け素子としては両面接着テープや細長く切断してこのシートの裏面に貼着されたマグネットシート、更には接着剤等各種公知のものが採用される。
【００１６】
また、請求項２に係る考案では、表面シートカバーと裏面シートカバーの下方の端部の接着固定部位に夫々の緩衝材の収納空間と連通して一つ若しくは複数個の換気路が設けられことによって、ほぼ密閉状態の緩衝材の収納空間をこの換気路によって外気と連通させることができ、夏場にこの緩衝材の収納空間内の空気が膨張しても、上手く外へ排気できる。その結果、クッション材が膨張してしまうおそれを上手く解消でき、併せて雨水の侵入も上手く阻止し、長い年月美麗な外観を保つことが出来る。
【００１７】
更に、請求項３に係る考案では、クッション材の緩衝材は独立気泡を備えた発泡樹脂素材で形成されるため、たとえ雨水や湿気が侵入したとしても、それらは緩衝材の内部には
浸透することはなく、クッション材の経年劣化を速めたり、早期の内に外観を損ねたりするおそれが少なく、長い年月美麗な外観を保つことが出来る。
【００１８】
更に、請求項４に係る考案では、請求項１〜３のいずれか１項に記載のクッション材の所定の間隔を空けた部位を縦方向に切断して短尺な横幅にして取り付け対象物へ取り付け素子を介して取り付けられるようにしたので、例えば工事現場や建築現場等でのパイプや柱などの障害物のコーナーの周囲を囲繞して安全を図る上で、従来の２メートル以上もある縦長のコーン―クッションと違って、小ぶりであるために取扱いが容易で、設置も簡単に行え、また、無駄も省ける利点があるめ。
【００１９】
尚、本考案におけるクッション材は、以上のコーナークッション等の他、例えば道具類の仮置き場用のシート、脚立使用時の床養生マット、ペンキ塗装時の液滴落下受けシート、建築材や家具類などの搬入時等に敷居上やを床を覆いこれらを養生するための簡易養生材、更には災害時に避難所等で用いられる敷マット等も含まれ、床上等に敷くだけの簡易な施工で多くの現場や環境等での利便性に寄与できるものである。
【図面の簡単な説明】
【００２０】
【図１】この考案に係るクッション材の実施例を示し、一部切欠き全体外観図である。
【図２】縦方向に沿って切断した要部の断面図である。
【図３】横方向に沿って切断した要部の断面図である。
【図４】使用状態の説明外観図である。
【図５】折り畳み収納姿勢を示す外観図である。
【図６】第２の実施例を示し、換気路の構造を示す要部の拡大断面図である。
【図７】第３の実施例のコーナークッションを得る作用図を示し、（Ａ）は切断作業を示す外観図、（Ｂ）はコーナークッションの完成図である。
【図８】コーナークッションをコーナーに装着するときの作用の説明図である。
【考案を実施するための最良の形態】
【００２１】
以下、本考案のクッション材を建築現場における敷居の養生材に適用した場合の形態について、添付図面を参照して説明する。
【００２２】
このクッション材１は、横方向に長尺な表面シートカバー２と裏面シートカバー３、そして、これら両シートカバー２, ３の間に形成された、基本的に閉鎖された収納空間４内に配設された緩衝材５とから構成されている
【００２３】
横方向に長尺な表面シートカバー２と裏面シートカバー３は同寸法の可撓性と耐水性とを有した可撓性合成樹脂を素材にした薄肉厚のシートで、このクッション材１の表裏夫々を構成する。可撓性と耐水性更に強度とを有した可撓性合成樹脂素材の一例としてはポリ塩化ビニルターポリン（ＰＶＣターポリン）等が採用されるが、同様の性質を備えるものであれば特に限定されない。これら表裏のシートカバー２、３によって前記緩衝材５の表裏又上下左右が完全に被覆される。因みに、前記表面はシートカバー２並びに裏面シートカバーの縦方向（図１記載の紙面上上下方向）は７００ｍｍ、幅方向（図１記載の紙面上左右方向）は、展張状態において１８５０ｍｍである。
【００２４】
緩衝材５は、クッション材１にクッションとしての機能を持たせる部材で、独立気泡型合成樹脂素材が望ましい。具体的には、発泡ポリエチレン（ＥＰＥ）が採用されるが、以上の性質を備えるものであれば、連続気泡型合成樹脂素材、更には段プラスチックなどが用いられても良く、特に限定されのものではない。
【００２５】
この緩衝材５は、縦方向は６９５ｍｍ、横方向は１９０ｍｍの矩形短冊形に形成され、厚みは５ｍｍに形成されている。この緩衝材５は全部で８枚が夫々その縦方向を前記表裏シートカバー２、３の縦方向に沿わせ且つ横方向に互いに所定の間隔、具体的には２０ｍｍをおいて表裏シートカバー２、３の間に並設され、これら表裏シートカバー２、３の上下と左右それぞれの端部６、７、８、９と各緩衝材５の間の前記所定の間隔を空けた部位１０を熱融着によって一体に接着固定することで、８枚の緩衝材５がそれぞれ密閉されて独立した前記収納空間４内に収容されて構成される。緩衝材５は表裏のシートカバー２、３に前記熱融着によって一体化はされず、独立している。
【００２６】
クッション材１は、前記所定の間隔を空けた部位１０が表裏のシートカバー２、３二枚分の厚みしかないため、この所定の間隔を空けた部位１０を介して簡単に蛇腹状に折り畳んで、収納・保管あるいは持ち運びの便に供し、また、所定の広さに展張して、これを敷居１１を跨ぐようにして覆うことで、この敷居１１を上手く養生するように用いる。
【００２７】
このように構成されたクッション材１は、図４に示すように、所定の広さのマット状に展張することで、建築現場において、敷居１１を跨ぐようにして覆うと言ったん簡単な作業によって、例えば、資材、立て付け家具などの搬入時に敷居１１が損傷されるのを上手く防止でき、敷居１１を上手く養生できる。また、収納、保管あるいは運搬時には、図５に示すように、前記所定の間隔を空けた部位１０が表裏のシートカバー２、３二枚分の厚さの肉薄であるから、この所定の間隔を空けた部位１０において簡便に折り畳むことができ、この所定の間隔を空けた部位１０を表裏、表裏と繰り返して折り畳むことで、幅はほぼ１枚の短冊形緩衝材５と同様の幅狭に折り畳むことができ、持ち運びや取扱いが容易である上に、嵩低く収納、保管できる。
【００２８】
尚、図例では緩衝材５は短冊形で８枚が夫々独立し形態を採用しているが、必要に応じて、８枚分がほぼ一体となった広幅ものを採用し、表裏のシートカバー２、３で覆うと共に、こ表裏のシートカバー２、３を熱融着により一体接着させる際に、前記短冊形と同等の間隔おきに、この緩衝材５も共に熱融着によって軟化融着させて一体化することもできる。熱融着部位の緩衝材５は溶融して肉薄となり、図１〜５に示したものと同様の前記所定の間隔を空けた部位１０とほぼ同等の肉厚になり、この所定の間隔を空けた部位１０で自在に屈曲或いは展張できる。このような構成によっても、上記のそれぞれが別体である緩衝材５を用いたものと同等の作用効果を発揮することができる。
【００２９】
次に、図６に示す構造は、変形例を示すもので、緩衝材５の前記収納空間４内の空気を外気に放出するための機能を備えさせたものである。
即ち、クッション材１の前記表面シートカバー２と裏面シートカバー３の下方の端部７の熱融着部１２に、横方向に所定の間隔を開けて複数箇所（図例では３箇所）に、一端は前記収納空間４に通じ他端は外気に通じるほぼ同じ幅の夫々未熱融着部１３を形成し、この未熱融着部１３を前記緩衝材５の収納空間４と外気とを連通する換気路１４に形成したものである。夏場などにこの収納空間４内の空気が熱せられて膨張すれば、この膨張した気体はこの換気路１４を介して外気に排出されることになる。そのために、クッション材１が膨張してしまうおそれを上手く解消でき、併せて雨水の侵入も上手く阻止し、長い年月美麗な外観を保つことが出来る。
【００３０】
尚、クッション材１の使用の態様、例えば屋内専用等の雨水に晒されない場所で使用される場合などでは、この換気路１４は上方の端部６であっても良い。下方の端部７に設ければ雨の侵入を未然に防止できるので、屋外での使用にも便利である。また、前記換気路は一つでもよい。
【００３１】
次に、このクッション材１をコーナークッション１５として使用する場合について、図
７、８を参照しながら説明する。
クッション材１は、幅方向に所定間隔で薄肉部、つまり緩衝材５の前記所定の間隔を空けた部位１０が存在する構成であるから、図７の（Ａ）に示すように、内部の緩衝材５の１枚分或いは２枚分等、必要に応じて適宜の幅分をこの所定の間隔を空けた部位１０を切断することによって、幅狭な部分クッション材１Ａを得る。この得られた部分クッション材１Ａの裏面シートカバー部分３Ｂに、図７（Ｂ）に示すように、左右方向に所定の間隔を開けて、上下方向に沿い両面接着テープや所定幅に切断されたマグネットシート等に代表される取り付け素子１６を貼着する。尚、図例では両面接着テープを採用した例を示し、図中１７は離型紙である。
【００３２】
このようにして得た部分クッション材１Ａは、工事現場、建築、リフォームの作業現場において、作業員の安全を確保する上から、柱やパイプ或いは形鋼などのコーナー１８に、前記取り付け素子１６を介して貼着し、もって安全上の防護対策としてのコーナークッション１５として、また、その他引っ越しの際に損傷を予防する必要のある柱などへのコーナークッション１５として有効に活用できる。背丈が足りない場合には、図８に示すように、クッション材１を更に必要な幅で前記所定の間隔を開けた部位１０から適宜に切断することで、先に貼着されたコーナークッション１５の上方に取り付けることで、その背丈を希望の通りに伸ばすことが出来、従来と違って、素材の無駄も少なくし易い利点がある。
【産業上の利用可能性】
【００３３】
以上説明した各実施例は、必ずしも図示する構造に限定されるものではなく、示された個々の構造、形状は考案の趣旨と矛盾しない範囲で相互に組み合わせたり、援用したりすることが出来る。また、本考案におけるクッション材１は、以上のコーナークッション１５等の他、例えば道具類の仮置き場用のシート、脚立使用時の床養生マット、ペンキ塗装時の液滴落下受けシート、更には災害時に避難所等で用いられる敷マット等も含まれ、床上等に敷くだけの簡易な施工で多くの現場や環境等での利便性に寄与できるものである。
【符号の説明】
【００３４】
１…クッション材
１Ａ…部分クッション材
２…表面シートカバー
３…裏面シートカバー
３Ｂ…裏面シートカバー部分
４…収納空間
５…緩衝材
６…端部（上）
７…端部（下）
８…端部（左）
９…端部（右）
１０…所定の間隔を空けた部位
１１…敷居
１２…熱融着部
１３…未熱融着部
１４…換気路
１５…コーナークッション
１６…取り付け素子
１７…離型紙
１８…コーナー
【図１】
0003197228.tif 000003
【図２】
0003197228.tif 000004
【図３】
0003197228.tif 000005
【図４】
0003197228.tif 000006
【図５】
0003197228.tif 000007
【図６】
0003197228.tif 000008
【図７】
0003197228.tif 000009
【図８】
0003197228.tif 000010